【手続補正書】
【提出日】平成16年6月18日(2004.6.18)
【手続補正１】
【補正対象書類名】特許請求の範囲
【補正対象項目名】全文
【補正方法】変更
【補正の内容】
【特許請求の範囲】
【請求項１】
少なくとも二つの波長成分を有する少なくとも一本の入力ビームを受け取る第一の入力ポートを有し、前記少なくとも一本の入力ビームを個別の偏光成分に空間的に分割するように作動する偏光ビームスプリッタと、
個別の偏光成分の前記ビームを受け取り、前記偏光成分が分割される平面に対してある角度をつけて配置された分散平面において個別の偏光成分の前記ビームの各々の前記波長成分を空間的に分散させるよう作動する第一の分散要素と、
各々の前記個別の偏光成分の前記ビームの前記波長成分を受け取る第一の集光要素と、
各ピクセルが個別の波長成分に関連するように全体的に分散方向に沿ってピクセル処理された偏光変調要素であって、該偏光変調要素の各ピクセルが該ピクセルに付与された制御信号に従って前記ピクセルを通過する光線の偏光状態を変えるように作動する偏光変調要素と、
前記偏光変調要素を通過した後前記光線を受け取る第二の集光要素と、
前記第二の集光要素から光線を受け取り、各々の前記ビームの前記個別の波長成分を結合してマルチ波長ビームとするよう作動する第二の分散要素と、
２個の出力ポートを有する偏光ビーム結合器であって、前記マルチ波長ビームの各々を受け取り、かつ前記入力ビームの各波長成分が前記波長と関連した前記ピクセルに付与された制御信号に従って前記２個の出力ポートの一方に導かれるように前記個別の偏光成分を結合するように作動する偏光ビーム結合器とを順に含むことを特徴とする波長依存型スイッチ。
【請求項２】
前記偏光変調要素が液晶要素であることを特徴とする請求項１に記載の波長依存型スイッチ。
【請求項３】
前記角度が、前記偏光要素が分割される前記平面に対して前記分散平面が基本的に直角であるようなものであることを特徴とする請求項１に記載の波長依存型スイッチ。
【請求項４】
前記個別の偏光要素が二つの直交する成分であることを特徴とする請求項１に記載の波長依存型スイッチ。
【請求項５】
前記偏光ビームスプリッタがまた、第二の入力ポートを含み、そのため前記波長成分に関連した前記ピクセルに付与された制御信号に従って前記スイッチが前記第一および第二の入力ポートに入力される信号の波長成分を前記出力ポートのいずれかへ切り替えるよう作動することを特徴とする請求項１から４までのいずれか１項に記載の波長依存型スイッチ。
【請求項６】
前記偏光変調要素に対して並置して配置され、前記スイッチにおける偏光依存損失を減少させるように作動する二分の一波長板を更に含むことを特徴とする請求項１から５までのいずれか１項に記載の波長依存型スイッチ。
【請求項７】
前記偏光ビームスプリッタから出てくる個別の偏光成分を有する前記ビームの中の一本の通路に配置された第一の二分の一波長板と、前記偏光ビーム結合器へ入る個別の偏光成分を有する前記ビームの別の一本の通路に配置された第二の二分の一波長板とをまた含み、そのため前記スイッチにおける偏光依存損失を減少させることを特徴とする請求項１から５までのいずれか１項に記載の波長依存型スイッチ。
【請求項８】
前記入力ビームの少なくとも一本がマルチファイバコリメータによって前記スイッチに入力され、そのため前記スイッチは多重並列波長選択スイッチとして作動することを特徴とする請求項１から５までのいずれか１項に記載の波長依存型スイッチ。
【請求項９】
請求項１から８までのいずれか１項に記載の波長依存型スイッチを複数個含み、前記波長依存型スイッチの少なくとも２個が分散要素、集光要素、および偏光変調要素の中の少なくとも１個の共通のものを利用していることを特徴とする波長依存型スイッチモジュール。
【請求項１０】
前記偏光ビームスプリッタおよび前記偏光ビーム結合器の少なくとも一方がスプリットプリズム構造であることを特徴とする請求項１から８までのいずれか１項に記載の波長依存型スイッチ。
【請求項１１】
前記偏光ビームスプリッタと前記偏光ビーム結合器の少なくとも一方が複屈折結晶構造であることを特徴とする請求項１から８までのいずれか１項に記載の波長依存型スイッチ。
【請求項１２】
前記少なくとも一本の入力ビームが一本の入力ビームからなり、そのため前記スイッチは１Ｘ２スイッチとして作動することを特徴とする請求項１から８までのいずれか１項に記載の波長依存型スイッチ。
【請求項１３】
前記の少なくとも一本の入力ビームが一本の入力ビームからなり、前記２個の出力ポートの中の一方のみが前記スイッチが１Ｘ１スイッチとして作動するように使用されることを特徴とする請求項１から８までのいずれか１項に記載の波長依存型スイッチ。
【請求項１４】
前記少なくとも一本の入力ビームが二本の入力ビームからなり、そのため前記スイッチが２Ｘ２スイッチとして作動することを特徴とする請求項１から８までのいずれか１項に記載の波長依存型スイッチ。
【請求項１５】
少なくとも二つの波長成分を含む少なくとも一本の入力ビームを受け取る第一と第二のポートを有し、前記の少なくとも一本の入力ビームの各々を個別の偏光成分のビームに空間的に分割するよう作動する偏光ビームスプリッタと、
前記の個別の偏光成分のビームを受け取り、前記偏光成分が分割される平面に対してある角度をつけて配置されている分散平面において各々の個別の偏光成分の前記ビームの前記波長成分を空間的に分散するよう作動する分散要素と、
各々の前記個別の偏光成分のビームの前記波長成分を受け取る集光要素と、
各ピクセルが個別の波長成分と関連するように分散方向に全体的に沿ってピクセル処理化された偏光変調要素であって、該偏光変調要素の各ピクセルが該ピクセルに付与された制御信号に従って前記ピクセルを通過する光線の偏光状態を変えるよう作動する偏光変調要素と、
前記ピクセル処理された偏光変調要素、前記集光要素、前記分散要素、および前記偏光ビームスプリッタを通して順次前記光線を反射するように作動し、そのため前記光線の各波長成分が前記波長と関連した前記ピクセルに付与された制御信号に従って前記第一および第二のポートの一方に出力されるようにする反射面と、を順に含むことを特徴とする波長依存型スイッチ。
【請求項１６】
前記偏光変調要素が液晶要素であることを特徴とする請求項１５に記載の波長依存型スイッチ。
【請求項１７】
前記角度が、前記偏光成分が分割される前記平面に対して前記分散平面が本質的に直角であるようなものであることを特徴とする請求項１５に記載の波長依存型スイッチ。
【請求項１８】
前記個別の偏光成分が二つの直交する成分であることを特徴とする請求項１５に記載の波長依存型スイッチ。
【請求項１９】
前記第一と第二のポートの少なくとも一方に配置されたサーキュレータを更に含み、そのため前記第一と第二のポートの前記少なくとも一方における前記入力ビームが前記第一と第二のポートの少なくとも一方へ出力される光線から分離されることを特徴とする請求項１５に記載の波長依存型スイッチ。
【請求項２０】
前記第一と第二のポートの少なくとも一方に配置された複式ファイバコリメータを更に含み、そのため前記第一と第二のポートの少なくとも一方における前記入力ビーム光線が前記第一と第二のポートの前記少なくとも一方へ出力された光線から分離されることを特徴とする請求項１５に記載の波長依存型スイッチ。
【請求項２１】
請求項１５から２０までのいずれか１項に記載の波長依存型スイッチを複数個含み、前記波長依存型スイッチの前記少なくとも２個が分散要素、集光要素、および偏光変調要素の中の少なくとも１個の共通したものを利用していることを特徴とする波長依存型スイッチモジュール。
【請求項２２】
前記少なくとも一本の入力ビームが一本の入力ビームからなり、そのため前記スイッチが１Ｘ２スイッチとして作動することを特徴とする請求項１５から２０までのいずれか１項に記載の波長依存型スイッチ。
【請求項２３】
前記の少なくとも一本の入力ビームが一本の入力ビームからなり、前記第一と第二のポートの一方のみが光線を出力するために使用され、そのため前記スイッチは１Ｘ１スイッチとして作動することを特徴とする請求項１５から２０までのいずれか１項に記載の波長依存型スイッチ。
【請求項２４】
前記の少なくとも一本の入力ビームが二本の入力ビームからなり、そのため前記スイッチは２Ｘ２スイッチとして作動することを特徴とする請求項１５から２０までのいずれか１項に記載の波長依存型スイッチ。
【請求項２５】
前記偏光変調要素に対して並置して配置され、前記スイッチにおける偏光依存損失を減少させるよう作動する四分の一波長板を更に含むことを特徴とする請求項１５から２０までのいずれか１項に記載の波長依存型スイッチ。